(57)【要約】【課題】起動時間の増加等の使い勝手を損なうことなくバッテリーの寿命を延ばすことができる非接触給電システムを提供する。【解決手段】充電器２００は、電磁誘導により特定周波数の電磁波を生成するコイル２０３と、携帯機器１００と無線による通信を行い、コイル２０３で生成された電磁波を送信する通信部２０４とを備える。携帯機器１００は、バッテリー１１３を用いるバッテリー側電源ＩＣとは独立して設けられた無線電源ＩＣ１１２と、特定周波数の電磁波を検出、受電するための通信用アンテナ１７２とを備える。また、携帯機器１００は、充電器２００と無線による通信を行う通信部１７１と、全体の制御を行うＣＰＵ１２１とを備える。ＣＰＵ１２１は、携帯機器１００の複数ある動作モードのうちの任意の動作モードにおいて、通信用アンテナ１７２が特定周波数の電磁波を検出した場合、無線電源ＩＣ１１２からの電源生成を行う。【選択図】図１
2010226836.tif 000002
【特許請求の範囲】
【請求項１】
電磁誘導により給電機器から受電機器へ給電が行われる非接触給電システムにおいて、
前記給電機器は、
前記電磁誘導により特定周波数の電磁波を生成するコイルと、前記受電機器と無線による通信を行い、前記コイルで生成された前記電磁波を送信する給電側通信手段とを備え、
前記受電機器は、
バッテリーを用いるバッテリー電源とは独立して設けられた無線電源と、前記特定周波数の電磁波を検出、受電するための検出手段と、前記給電機器と無線による通信を行う受電側通信手段と、全体の制御を行う制御手段とを備え、
前記制御手段は、前記受電機器の複数ある動作モードのうちの任意の動作モードにおいて、前記検出手段が前記特定周波数の電磁波を検出した場合、前記無線電源からの電源生成を行うことを特徴とする非接触給電システム。
【請求項２】
前記任意の動作モードにおいて、前記検出手段が前記電磁波を検出して起動した場合、前記制御手段は、予め規定された処理を行い、処理の結果により、予め既定された条件に合致しない場合は、電源生成を停止して動作を停止することを特徴とする請求項１記載の非接触給電システム。
【請求項３】
前記任意の動作モードは、消費電力を抑えた命令待ち状態であるスリープモードであることを特徴とする請求項２記載の非接触給電システム。
【請求項４】
前記任意の動作モードにおいて、起動後、前記制御手段が予め決められた処理を行ってから、その結果により動作を停止するまでの時間は、前記給電機器で予め設定された間欠給電時間よりも短く設定されていることを特徴とする請求項２記載の非接触給電システム。
【請求項５】
前記任意の動作モードにおいて、起動後、前記制御手段は、前記バッテリーの電圧値をチェックし、任意の電圧値以上の場合には処理をせずに動作を停止することを特徴とする請求項２記載の非接触給電システム。
【請求項６】
前記受電機器は、時間を計測する時計ＩＣ、及び不揮発性メモリを有し、前記任意の動作モードにおいて、起動後、前記制御手段は、前記不揮発性メモリに記録された前回起動時刻と、現在の前記時計ＩＣの計時結果とを比較し、時間の差分が任意の値以下の場合には、前記任意の動作モードで引き続き継続して処理を行うことを特徴とする請求項２記載の非接触給電システム。
【請求項７】
前記任意の動作モードにおいて、起動後、前記制御手段は、前記不揮発性メモリに記録されたスケジュールと、現在の年月日・時刻とを比較し、差分が閾値以上の場合には処理をせずに動作を停止することを特徴とする請求項６記載の非接触給電システム。
【請求項８】
前記任意の動作モードにおいて、起動後、前記制御手段は、前記給電機器に対して、間欠給電駆動における給電時間を、予め決められた任意の時間よりも長く設定することを特徴とする請求項２記載の非接触給電システム。
【請求項９】
請求項１記載の非接触給電システムを構成する給電機器。
【請求項１０】
請求項１記載の非接触給電システムを構成する受電機器。
【発明の詳細な説明】
【技術分野】
【０００１】
本発明は、非接触給電システム、非接触給電システムを構成する給電機器（充電器）及び受電機器（携帯機器）に関する。
【背景技術】
【０００２】
近年、バッテリーを使用する携帯機器は、さまざまな機能の搭載によって利便性が増し、その利用範囲が急速に拡大してきている。従って携帯機器への要求としては、より長時間のバッテリー駆動が可能となること、更なる小型化等による取り扱いやすさ・持ち運びやすさの向上、といった点が上げられている。
【０００３】
バッテリー駆動時間の長時間化については、バッテリー自体の大容量化が考えられるが、これでは機器の小型化と相反するため、携帯機器としては部品の小型化及びそれぞれの低消費電力化・ソフトウェアによるこまめな駆動制御等の手法が取られている。
【０００４】
また、携帯機器のバッテリーの充電方法においても、やはり利便性の向上のため、無線（電磁波）による電力伝送を用いたコードレス充電も多く利用されるようになってきた。パッド等の充電器からＲＦ電力を出力し、これを機器側内部の共振回路で受信・整流することで、コードレス受電システムを構成しているものもある（例えば、特許文献１参照）。
【先行技術文献】
【特許文献】
【０００５】
【特許文献１】特開平１０−２３６７７号公報
【発明の概要】
【発明が解決しようとする課題】
【０００６】
携帯機器としては、待機状態の消費電力、例えば、ＣＰＵが常に状態を監視するための電力を、累積としてかなり必要としていた。これはＩＣのプロセスの微細化に伴うゲート数の増加及び、プロセスの微細化に伴うゲートあたりのリーク電流の増加という２つの要因がある。
【０００７】
これに従うと、将来的にも待機時電流は増加傾向を見せており、リーク電流減少のための手段が検討されている。例えば、待機状態ではＣＰＵを動作させず、外部ＳＷ等のトリガによりＣＰＵを起動する等の手法も採用されている。
【０００８】
しかし、この場合には、トリガから処理開始までの間に電源等の起動が必要となる等の弊害もあり、待機時については利便性と消費電力とのトレードオフになってしまっていた。
【０００９】
本発明の目的は、起動時間の増加等の使い勝手を損なうことなくバッテリーの寿命を延ばすことができる非接触給電システム、給電機器及び受電機器を提供することにある。
【課題を解決するための手段】
【００１０】
上記目的を達成するために、請求項１記載の非接触給電システムは、電磁誘導により給電機器から受電機器へ給電が行われる非接触給電システムにおいて、前記給電機器は、前記電磁誘導により特定周波数の電磁波を生成するコイルと、前記受電機器と無線による通信を行い、前記コイルで生成された前記電磁波を送信する給電側通信手段とを備え、前記受電機器は、バッテリーを用いるバッテリー電源とは独立して設けられた無線電源と、前記特定周波数の電磁波を検出、受電するための検出手段と、前記給電機器と無線による通信を行う受電側通信手段と、全体の制御を行う制御手段とを備え、前記制御手段は、前記受電機器の複数ある動作モードのうちの任意の動作モードにおいて、前記検出手段が前記特定周波数の電磁波を検出した場合、前記無線電源からの電源生成を行うことを特徴とする。
【００１１】
請求項９記載の給電機器は、請求項１記載の非接触給電システムを構成する。
【００１２】
請求項１０記載の受電機器は、請求項１記載の非接触給電システムを構成する。
【発明の効果】
【００１３】
本発明の非接触給電システムによれば、起動時間の増加等の使い勝手を損なうことなくバッテリーの寿命を延ばすことができる。
【図面の簡単な説明】
【００１４】
【図１】本発明の実施の形態に係る非接触給電システムのブロック構成図である。
【図２】図１の非接触給電システムにおける無線電力受信時の電流波形を示す図である。
【図３】図１の非接触給電システムにおける無線電源出力電圧とバッテリー電源出力電圧の関係を示す図である。
【図４】図１の非接触給電システムにおける通常動作状態からスリープ動作状態への移行時の電力供給状態を示す図である。
【図５】図１の非接触給電システムにおけるスリープ動作時の給電時間と起動時間を示す図である。
【図６】図１の非接触給電システムにおけるスリープ動作時の各部の動作状態を示す図である。
【発明を実施するための形態】
【００１５】
以下、本発明を図面を参照しながら詳細に説明する。
【００１６】
図１は、本発明の実施の形態に係る非接触給電システムのブロック構成図である。
【００１７】
電磁誘導により給電機器から受電機器へ給電が行われる本非接触給電システムは、受電機器としての携帯機器（具体的には撮像装置）１００と、給電機器としての充電器２００とから構成されている。
【００１８】
携帯機器１００は、電源部１０１、通信ブロック１０２、制御部１０３、撮影部１０４、表示部１０５、記録部１０６、操作部１０７からなっている。
【００１９】
電源部１０１は、充電器１２００からの無線電源を受信するための発振用コイル１１１、発振用キャパシタ、整流用ダイオード、平滑用キャパシタ、無線電源ＩＣ１１２を備えている。
【００２０】
また、電源部１０１は、バッテリー１１３、バッテリー側電源ＩＣ（バッテリー電源）１１４を備えている。また、出力電圧ＣＨごとにＤＣ／ＤＣ変換用インダクタ、ＦＥＴ、ダイオード、キャパシタが接続されている。無線電源ＩＣ（無線電源）１１２からの出力と、バッテリー側電源ＩＣ１１４の出力のうちいくつかはダイオードで接続されており、どちらかが出力する構造となっている。
【００２１】
制御部１０３は、機器全体の制御を行うＣＰＵ１２１、ＲＯＭ（不揮発性メモリ）１２２、ＲＡＭ１２３、時間を計測する時計ＩＣ（ＲＴＣ）１２４、ＲＴＣ用コインバッテリー１２５、周辺ブロックとの通信のための通信バス、及びデータのやりとりのためのデータバスからなっている。
【００２２】
撮影部１０４は、レンズ１３１、絞り１３２、鏡筒駆動ＩＣ１３３、撮像素子１３４、ＣＤＳ／ＡＤ１３５、ＴＧ１３６からなる。
【００２３】
表示部１０５は、表示パネル１４１及び、ＣＰＵからのデータを表示パネル１４１の表示形式に変換して表示パネル１４１へデータを送るとともに、表示パネル１４１の駆動を行う表示制御ＩＣ１４２からなる。
【００２４】
記録部１０６は、交換可能な記録媒体１５１、この記録媒体１５１への書き込み制御を行う記録制御部１５２からなる。
【００２５】
操作部は、パワーＳＷ１６１、上下左右等の選択ＳＷ１６２からなっている。
【００２６】
通信ブロック１０２は、ＲＦの無線通信を行うための通信部（受電側通信手段）１７１、通信用アンテナ１７２、ＩＣの設定内容を保存する無線用ＲＯＭ１７３、制御部１０３との通信を行うシリアルＩ／Ｆ、電源部１０１の制御を行うためのポートからなっている。通信用アンテナ１７２特定周波数の電磁波を検出、受電するための検出手段として機能する。
【００２７】
この通信ブロック１０２は、電源部１０１から電力が供給されているが、この電力の供給がない状態でも、通信用アンテナ１７２から供給される電磁波から電力を取り出して単独で通信動作を行うことも可能となっている。
【００２８】
充電器２００は、電源端子２０１、逆流防止ダイオード、ヒューズ、給電側電源ＩＣ２０２、電流検出用抵抗、複数のタップが切ってある無線電力出力用のコイル２０３、特定のタップに電力を供給するための配線ＳＷを備える。また、充電器２００は、発振制御用ＦＥＴ、通信部（給電側通信手段）２０４、通信用アンテナ２０５、無線用ＲＯＭ２０６を備える。コイル２０３は、電磁誘導により特定周波数の電磁波を生成する。
【００２９】
ここで、本発明の概要を述べる。
【００３０】
ＣＰＵ１２１は、携帯機器１００の複数ある動作モードのうちの任意の動作モードにおいて、通信用アンテナ１７２が特定周波数の電磁波を検出した場合、無線電源ＩＣ１１２からの電源生成を行う。
【００３１】
また、任意の動作モードにおいて、通信用アンテナ１７２が電磁波を検出して起動した場合、ＣＰＵ１２１は、予め規定された処理を行い、処理の結果により、予め既定された条件に合致しない場合は、電源生成を停止して動作を停止する。任意の動作モードは、例えば、消費電力を抑えた命令待ち状態であるスリープモードである。
【００３２】
また、任意の動作モードにおいて、起動後、ＣＰＵ１２１が予め決められた処理を行ってから、その結果により動作を停止するまでの時間は、充電器２００で予め設定された間欠給電時間よりも短く設定されている。
【００３３】
また、任意の動作モードにおいて、起動後、ＣＰＵ１２１は、バッテリー１１３の電圧値をチェックし、任意の電圧値以上の場合には処理をせずに動作を停止する。
【００３４】
また、任意の動作モードにおいて、起動後、ＣＰＵ１２１は、ＲＯＭ１２２に記録された前回起動時刻と、現在のＲＴＣの計時結果とを比較し、時間の差分が任意の値以下の場合には、任意の動作モードで引き続き継続して処理を行う。
【００３５】
また、任意の動作モードにおいて、起動後、ＣＰＵ１２１は、ＲＯＭ１２２に記録されたスケジュールと、現在の年月日・時刻とを比較し、差分が閾値以上の場合には処理をせずに動作を停止する。
【００３６】
また、任意の動作モードにおいて、起動後、ＣＰＵ１２１は、充電器２００に対して、間欠給電駆動における給電時間を、予め決められた任意の時間よりも長く設定する。
【００３７】
次に、携帯機器単独の動作について述べる。
【００３８】
充電されたバッテリー１１３が入った状態であり、かつ充電器２００から無線通信できない距離以上離れた位置では、パワーＳＷ１６１を押す前ではバッテリー側電源ＩＣ１１４は動作しておらず、また、ＣＰＵ１２１も電源が供給されないために非動作状態となっている。
【００３９】
従って、バッテリー１１３の消費電力は接続先のリーク電流程度となっており、使用状態を重視した節電状態となっている。また、ＲＴＣ１２４だけは独立したコインバッテリー１２５からの電源供給があり、節電状態においても計時動作を行っている。
【００４０】
ここで、操作者がパワーＳＷ１６１を押し、携帯機器１００を動作させる。すると、バッテリー側電源ＩＣ１１４の動作イネーブル線がＨｉｇｈアクティブとなり、バッテリー側電源ＩＣ１１４が設定された複数ＣＨの電源電圧出力を開始する。
【００４１】
電圧の出力が開始されると、通信部１０３を含む各ブロックへ電源が供給され、動作開始となる。まず、ＣＰＵ１２１が動作開始となり、ＲＯＭ１２２上に書かれたプログラムの読み出しを開始し、プログラムに従ってまず初期化動作を開始する。同時に、ＣＰＵ１２１は、バッテリー側電源ＩＣ１１４の制御線をアクティブにし、電源ＯＮ状態を保持する。
【００４２】
ＣＰＵ１２１は、起動時に前回動作停止時の動作状態をＲＯＭ１２２上に保存しており、初期化時にこの領域のデータを読み出し、終了時の動作状態を引き継いだ状態で起動を行う。例えば、前回終了時が撮影モードの場合には、ＣＰＵ１２１は、初期化終了後、撮影部１０４への電源投入を行い、撮像素子１３４からの入力信号をデジタル映像信号として処理する準備を行う。
【００４３】
これと同時に、ＣＰＵ１２１は、表示部１０５への設定も行い、撮影部１０４からのデジタル映像信号を表示するための初期化動作を行っていく。撮影部１０４の初期化及び表示部１０５の初期化が完了した後、ＣＰＵ１２１は、撮影部１０４から撮影画像の取り込みを開始し、撮影部１０４からのデジタル映像信号を順次表示部１０５へ送り、撮影された画像データを、表示部１０５を介して操作者に対して表示する動作を行う。
【００４４】
また、前回の動作が映像再生モードであった場合、ＣＰＵ１２１は、初期化終了後、表示部１０５及び記録部１０６の初期化動作を行い、設定終了後、記録部１０６内にある記録媒体１５１に記録されているデータを読み出し、ＲＡＭ１２３へ一時的に記録する。その後、ＣＰＵ１２１は、データを表示するためのアプリケーションを介した処理を行い、その結果を表示部１０５へ送り、操作者に対して表示する。
【００４５】
また、前回の動作がデータ管理モードであった場合、ＣＰＵ１２１は、初期化終了後、表示部１０５及び記録部１０６の初期化動作を行い、設定終了後、ＲＯＭ１２２内に保存されている設定値やスケジュール・動作管理表を読み出す。
【００４６】
そして、ＣＰＵ１２１は、関連するアプリケーションをＲＯＭ１２２上から読み出して起動し、任意のフォーマットの表示形式に変換した後、アプリケーション上の表示データとしてＲＡＭ１２３に保存し、かつ表示部１０５へデータを送り、表示動作を開始する。
【００４７】
この後、ＣＰＵ１２１は、記録部１０６内の記録媒体１５１上のデータをチェックし、管理データがある場合は、それを一時的にＲＡＭ１２３中の別領域に読み出し、任意の表示形式に変換した後、表示部１０５へ送り、先の管理データと合わせて表示を行う。以降のデータの操作については、操作部１０７からの指示に従って行われる。
【００４８】
起動処理が完了した時点で、ＣＰＵ１２１は、シリアルＩ／Ｆを介して通信ブロック１０２の初期化処理を行い、携帯機器１００の周囲に通信可能な機器がないかを、ＲＴＣ１２４が示す一定時間おきに調べる。
【００４９】
操作者から操作部１０７へ、動作モードの変更や設定の変更があった場合には、ＣＰＵ１２１は、それに従って必要な初期化を行って処理を続けていく。任意の時間、処理要求がない場合には、ＣＰＵ１２１は、周辺ブロックの動作を停止し、待機状態へ移行する。待機状態中に操作部１０７へ動作要求があった場合には、ＣＰＵ１２１は、処理の再開を行い、動作状態へ移行する。
【００５０】
動作中において、通信ブロック１０２に他の機器からの通信があった場合の処理を以下に示す。
【００５１】
例えば、本実施の形態の携帯機器１００が、電源ＯＦＦ状態の充電器２００上に置かれた後、充電器２００の図示しない電源ＳＷが押された場合についての動作状態を以下に示す。
【００５２】
充電器２００の電源ＳＷが入れられると、給電側電源ＩＣ２０２がアクティブ状態となり、コイル２０３及び通信部２０４への電源供給を開始する。動作開始時、給電側電源ＩＣ２０２は、予め設定されていた目標電流・目標電圧値を満足するように、コイル２０３への電源供給のためのＰＷＭ制御を行う。また、給電側電源ＩＣ２０２は、個別コイルのＯＮ／ＯＦＦを制御する経路制御を行う。
【００５３】
当初は、充電器２００上の給電側電源ＩＣ２０２が起動できる程度の小さい無線電力の供給を行う。このときの給電側（充電器側）コイル電流、機器側のコイル電流、給電側電源ＩＣ２０２の入力の波形状態を図２に示す。
【００５４】
これと同時に、通信部２０４は、電源が供給されると、無線用ＲＯＭ２０６上のデータを読み出し、初期化動作を行い、この後、設定された任意の時間おきに、携帯機器１００に対して充電器２００の存在を知らせるための通信を開始する。
【００５５】
携帯機器１００の通信部１７１は、充電器２００からの無線通信を受信すると、ＣＰＵ１２１に対して充電器２００からの受信を送信し、かつ機器内の給電側電源ＩＣ２０２の動作イネーブル線をアクティブにする。
【００５６】
ＣＰＵ１２１は、動作中に通信を受信した場合には、現在の処理項目と並列してバッテリー１１３の充電動作処理を行うための準備を行う。給電側電源ＩＣ２０２は、イネーブル線がアクティブになると電源生成動作を開始する。
【００５７】
ここでは、給電側電源ＩＣ２０２からは、携帯機器１００の動作に必要な電源ＣＨの電圧と、携帯機器内のバッテリー１１３の充電に必要な電圧を生成する。バッテリー充電用電圧は、機器内システムには供給せず、バッテリー側電源ＩＣ１１４へ供給する。
【００５８】
充電器２００と携帯機器１００の位置関係においては、十分な電力が供給されない場合もある。ＣＰＵ１２１が給電側電源ＩＣ２０２から出力される電源電圧ＣＨのひとつ、ここではバッテリー充電用電圧ＣＨの出力電圧値をチェックすることで、給電状態のチェックを行う。
【００５９】
ＣＰＵ１２１は、まず、供給電力の小さい場合の充電ＣＨ出力電圧値をチェックし、電圧値を一時的に記憶（記録）した後、通信ブロック１０２を経由して充電器２００へ無線電源の出力増加を要求する。
【００６０】
給電側の通信部２０４は、出力電力の変更要求を受け取ると、無線用ＲＯＭ２０６上の設定に従って給電側電源ＩＣ２０２の出力設定を変更する。給電側電源ＩＣ２０２は、出力設定が変更されたと同時に、目標電圧・電流値になるようにＰＷＭ信号を変更する。
【００６１】
給電側の通信部２０４は、任意の周期で給電側電源ＩＣ２０２内部のレジスタを読み出し、給電側電源ＩＣ２０２の動作変更が終了した時点で、出力変更終了の通信を機器側の通信部１７１へ送信する。
【００６２】
機器側の通信部１７１が設定変更完了の通知をＣＰＵ１２１へ送信すると、ＣＰＵ１２１は、再度充電用電源電圧のＣＨを行う。ここで、電圧値が前回の検出値と変化がない場合、または予め設定された閾値以下の場合、ＣＰＵ１２１は、再度出力増加要求を、通信部１７１を介して充電器２００へ送信する。
【００６３】
充電器２００では、通信部２０４が再度設定変更を行い、設定完了通知を送信する。このやりとりを任意の回数行った後においても、電圧値が変化しない場合または任意の閾値以下の場合、ＣＰＵ１２１は、充電動作移行を中断し、充電器２００の出力を初期状態へ戻す通信を、通信部１７１を介して行う。
【００６４】
給電側の通信部２０４では、通信を受信すると設定を初期状態へ変更し、以降任意の間隔で充電器２００の存在を知らせる通信処理のみを行う。ＣＰＵ１２１は、充電処理移行中止後も、充電器２００の初期状態での充電電源電圧ＣＨの出力電圧値をチェックする。電圧値が任意の変化量を超えた場合には、再度充電処理移行動作を開始する。
【００６５】
充電器２００からの出力電圧値が閾値を超えた場合、ＣＰＵ１２１は、次に最適なコイル２０３の選択動作を行う。ＣＰＵ１２１は、予め設定された充電器２００の出力コイルパターンをひとつずつ選択し、充電器２００へ通信し、設定が変わるたびに出力電圧値をチェックする。
【００６６】
充電器２００では、任意のパターンの選択が通知されると、通信部２０４は、設定を給電側電源ＩＣ２０２へ送信する。給電側電源ＩＣ２０２は、通信部２０４からの設定に従い、コイル２０３と電気的に並列に接続されている配線ＳＷのＯＮ／ＯＦＦを行い、選択されたコイル２０３にのみ電力が供給されるように設定した後にＰＷＭの駆動を行い、電力の供給を続ける。
【００６７】
一通りのパターンの電源供給状態を試した後、ＣＰＵ１２１は、現在の携帯機器１００と充電器２００の物理的配置において最適なコイルの駆動パターン及び電力量を選択し、この状態になるように選択パターンを送信する。
【００６８】
充電器２００では、通信部２０４が受信したパターンを給電側電源ＩＣ２０２へ設定し、駆動パターン及び電力量の設定を完了する。設定が完了すると、給電側の通信部２０４は設定完了の通知を送信し、現在の状態を保持する。
【００６９】
この一連のやりとりの最中、外乱等により通信エラーの発生等、不具合が機器側の通信部１７１または給電側の通信部２０４から検出された場合は、通信部１７１、２０４は任意の時間通信を中止する。
【００７０】
そして、ＣＰＵ１２１は、通信エラーを検出した場合には充電動作移行を中断して通常動作状態へ移行する。給電側の通信部２０４もエラーを検出した場合には、給電側電源ＩＣ２０２の設定を初期状態に設定し、通信が回復するまで現在の状態を保持する。
【００７１】
充電器２００からの充電動作設定完了通知を受け取ったＣＰＵ１２１は、バッテリー充電動作へ移行する。ＣＰＵ１２１は、バッテリー側電源ＩＣ１１４のへ充電制御線をアクティブにし、充電状態へ移行する。
【００７２】
充電状態では、バッテリー１１３の充電とともに、携帯機器１００への電力供給も給電側電源ＩＣ２０２が行う。バッテリー側電源ＩＣ１１４は、その後電源をＯＦＦにしても良いが、急に充電器２００からの電力が失われた場合でも対応可能なように、電源ＩＣとしての動作は止めず、出力電源はダイオードの突合せにする。
【００７３】
そして、図３に示すように、給電側電源ＩＣ２０２の出力電圧設定値がバッテリー側電源ＩＣ１１４の出力値よりわずかに高くなるように設定しておけば、充電中はバッテリー１１３からの消費電力を削減することができ、かつ突発的な給電の中止にも対応できる。
【００７４】
以上のように、携帯機器１００の動作中において、充電器２００からの電源供給があった場合には、携帯機器１００の動作を止めることなくバッテリー１１３の充電を行うことができる。
【００７５】
バッテリー１１３の充電が終了すると、ＣＰＵ１２１は、給電側電源ＩＣ２０２への充電制御線をインアクティブにし、充電動作を終了する。その後は、バッテリー１１３からの電力供給は行わず、充電器２００からの電力から機器の動作のみに必要な電力を供給するように、充電器２００からの給電量を設定し直し、必要な電力の供給を受ける。このように設定することで、バッテリー１１３の容量を減らすことなく、携帯機器１００に必要な電力のみを給電することができる。
【００７６】
次に、充電器２００からの電力が供給されたままの状態で、携帯機器１００のパワーＳＷ１６１が操作され、携帯機器１００の電源をＯＦＦした場合の動作について述べる。
【００７７】
ＣＰＵ１２１は、電源ＯＦＦ状態に移行する前に、充電器２００に対して任意の時間間隔で電力が供給されるように設定を行う。その後、ＣＰＵ１２１は、充電器２００からの電力供給時間内のみ動作を行う状態となる、スリープ動作を行うための内部設定を行い、設定時刻とフラグを不揮発性メモリの中に記録した後、電源をＯＦＦにする。このときの電力供給状況を図４に示す。
【００７８】
この後、充電器２００は、任意の周期で携帯機器１００を起動するための電力供給動作を行い、携帯機器１００は電力供給されている時間より短い時間でスリープ動作を行う。電力供給時間と動作時間の関係図を図５に、それぞれの動作内容を示した図を図６に示す。
【００７９】
一定時間間隔で、充電器２００から電力が供給されると同時に、充電器２００の通信部２０４から無線通信が行われる。携帯機器１００の通信部１７１は、充電器２００からの無線通信の受信及び機器内の給電側電源ＩＣ２０２の動作イネーブル線をアクティブにする。これにより携帯機器１００に電源が供給され、ＣＰＵ１２１が起動する。
【００８０】
ＣＰＵ１２１は、起動後、通信ブロック１０２と通信して起動状態についてチェックし、かつ不揮発性メモリに記録されているスリープ状態に関連するフラグをチェックする。ＣＰＵ１２１は、スリープ動作フラグが立っていることを確認すると、前回の終了時刻と今回の起動時刻を比較し、この時間間隔が任意の時間内である場合には、起動後バッテリーレベルのチェック及び動作スケジュールの確認のみを行うスリープ動作を行う。
【００８１】
動作処理後、ＣＰＵ１２１は、終了時刻を任意の記録媒体中に記録、スリープフラグも立てたまま、通信ブロック１０２へ処理終了の通信を行い、電源ＯＦＦ処理を指示した後、シャットダウン動作を行う。充電器２００は電力が供給されている間、このような間欠的電力供給を携帯機器１００に対して行い、携帯機器１００の電源管理及びスケジュール管理を行っていく。
【００８２】
スリープ動作中に携帯機器１００に記録されたスケジュールの日時になった場合は、ＣＰＵ１２１は、スリープ動作を停止し、設定されたイベントの処理を行う。そのために電力が必要である場合には、ＣＰＵ１２１は、充電器２００との通信を行い、充電器側の電力出力状態をスリープ動作から変更し、十分な電力供給を受けた後、イベントの処理を続行する。イベント処理終了時は、操作部１０７からの指示がない場合は、再びスリープ状態へ移行する。
【００８３】
スリープ中にバッテリー電圧の低下が確認された場合には、ＣＰＵ１２１は、スリープ動作を中止し、電力の連続供給を充電器２００に対して通知する。電力供給開始後は、バッテリー電圧を監視しながら充電動作を行っていく。
【００８４】
ＣＰＵ１２１は、定期的な起動チェックとスケジュールのチェックを行い、スリープ中と同等のチェックを行う。充電終了後は、ＣＰＵ１２１は、再度スリープ動作へ移行し、余分な電力の消費を抑える。
【００８５】
このようにして、スリープ動作中においては、起動から終了までの間は、充電器２００から電力が供給されるため、バッテリー１１３の消費を抑え、かつスケジュールやバッテリー電圧管理等、最低限の動作を最低限の電力供給により行うことができる。
【００８６】
また、充電器２００の動作時間の設定を、充電器側からのみならず携帯機器側からも行えるようにすることもできる。
【００８７】
スリープ時の起動チェックの後、例えば、充電器２００に対して今回の必要供給時間を通知することで、１日に１回だけ何がしかの記録処理を行うイベントがある等、処理時間の長い場合においても個別に対応することができる。
【００８８】
また、充電器２００は複数の携帯機器１００に対してスリープ動作用の電力を供給できるが、機器ごとに違うスリープ処理時間をスリープ動作時に機器側から通知することで、スリープ時間の異なる複数機種に対しても同一の充電器を使用することがまた可能となる。
【符号の説明】
【００８９】
１００  携帯機器
１０２  通信ブロック
１０３  制御部
１１２  無線電源ＩＣ
１１３  バッテリー
１１４  バッテリー用電源ＩＣ
１２１  ＣＰＵ
１２２  ＲＯＭ
１２４  ＲＴＣ
１７１  通信部
１７２  通信用アンテナ
２００  充電器
２０３  コイル
２０４  通信部
【図１】
2010226836.tif 000003
【図２】
2010226836.tif 000004
【図３】
2010226836.tif 000005
【図４】
2010226836.tif 000006
【図５】
2010226836.tif 000007
【図６】
2010226836.tif 000008